(57)【要約】【課題】ゴミ保護用ネットの保管の際、ネット部に付着したゴミの汚れで手を汚すことなくゴミ保護用ネットを保持させることが可能なネット保持具およびネット保持装置を提供する。【解決手段】このネット保持具１０およびネット保持装置は、地面に立設される基部１と、基部１に設けられ、ゴミ保護用ネット５０のネット部５１から延びる第１ロープ部５２ａおよび５２ｂと第２ロープ部５３ａおよび５３ｂとをそれぞれ吊るす一対のフック部３，３とを備えている。そして、このネット保持具１０およびネット保持装置では、一対のフック部３，３に第１ロープ部５２ａおよび５２ｂと第２ロープ部５３ａおよび５３ｂとをそれぞれ吊るすことによりゴミ保護用ネット５０を保持する。【選択図】図２
2007217117.tif 000002
【特許請求の範囲】
【請求項１】
地面に立設される基部と、
前記基部に設けられ、ゴミ保護用ネットのネット部から延びるロープ部を吊るす吊掛部とを備え、
前記吊掛部に前記ロープ部を吊るすことにより前記ゴミ保護用ネットを保持する、ネット保持具。
【請求項２】
前記基部に取り付けられ、前記ゴミ保護用ネットが正面から見えないように遮蔽する遮蔽部をさらに備える、請求項１に記載のネット保持具。
【請求項３】
前記遮蔽部の外面には、種々の表示が記載された表示板を取り付けるための表示板取付部が設けられている、請求項２に記載のネット保持具。
【請求項４】
前記遮蔽部は、その外面に種々の表示が記載される表示板として兼用されている、請求項２に記載のネット保持具。
【請求項５】
前記基部は、柱状に形成されており、
前記吊掛部は、前記基部から突出するように設けられている、請求項１に記載のネット保持具。
【請求項６】
前記基部には、種々の表示が記載された表示体を取り付けるための表示体取付部が設けられている、請求項５に記載のネット保持具。
【請求項７】
前記基部の下部には、前記ゴミ保護用ネットの下部を係止するための係止部が設けられている、請求項５または６に記載のネット保持具。
【請求項８】
請求項１〜７のいずれか１項に記載のネット保持具と、そのネット保持具に保持されるゴミ保護用ネットとからなるネット保持装置であって、
前記ゴミ保護用ネットのネット部は、屏風状に折畳み可能であり、前記ネット部の一方面には、略平行に配置される一対の第１ロープ部が前記ネット部の折り目の山ごとに設けられた第１支持部を介してその長手方向に移動可能に取り付けられ、前記ネット部の他方面の前記一対の第１ロープ部に対応する位置には、略平行に配置される一対の第２ロープ部が前記ネット部の折り目の谷ごとに設けられた第２支持部を介してその長手方向に移動可能に取り付けられ、
前記一対の第１ロープ部および前記一対の第２ロープ部を引張ることにより、複数の前記第１支持部が互いに寄せ合わされるとともに複数の前記第２支持部が互いに寄せ合わされて前記ネット部が折畳まれ、
折畳まれた前記ネット部を前記一対の第１ロープ部および前記一対の第２ロープ部を持って持ち上げることにより、前記折畳まれたネット部が前記一対の第１ロープ部間および前記一対の第２ロープ部間の領域を折り目の谷側としてさらに折畳まれる、ネット保持装置。
【発明の詳細な説明】
【技術分野】
【０００１】
本発明は、ゴミ収集場所に載置されたゴミを保護するためのゴミ保護用ネットを保持するネット保持具およびネット保持装置に関するものである。
【背景技術】
【０００２】
従来、ゴミ収集場所に載置されたゴミをカラスや猫などの小動物から保護するために、ゴミ上を覆うように被せるゴミ保護用ネット（ゴミステーション用ネット）が知られている（たとえば、特許文献１参照）。
【０００３】
上記特許文献１に開示された従来のゴミ保護用ネットは、不使用時に保管する際、コンパクトにすることができるように構成されている。具体的には、この従来のゴミ保護用ネットは、そのネット部が山折りと谷折りとで交互に折畳み可能に構成されており、ネット部の表面の山折り部分に１つずつ鳩目が取り付けられている。そして、その各鳩目に１本のロープが挿通されるとともに、このロープの端部に鳩目からの抜け止めとして機能する結び目が形成されている。そして、このロープを引くことにより、各鳩目が寄せ合わされてネット部が重なって折畳まれるようになっている。そして、折畳まれたネット部を手で持ってロール状に丸めるとともに、上記のロープをネット部の周りに巻きつけてネット部をロール状に保持した後、収納袋や収納箱などに収納して保管するようになっている。
【特許文献１】実用新案登録第３０８０８４０号公報
【発明の開示】
【発明が解決しようとする課題】
【０００４】
しかしながら、上記特許文献１に開示されたゴミ保護用ネットを保管する際には、ゴミ保護用ネットのネット部を手で持ってロール状に丸める必要があるので、ゴミ上に被せられるネット部に付着したゴミの汚れで手が汚れるという問題点がある。
【０００５】
本発明は、上記のような課題を解決するためになされたものであり、その目的は、ゴミ保護用ネットの保管の際、ネット部に付着したゴミの汚れで手を汚すことなくゴミ保護用ネットを保持させることが可能なネット保持具およびネット保持装置を提供することである。
【課題を解決するための手段】
【０００６】
上記目的を達成するために、本発明のネット保持具は、地面に立設される基部と、基部に設けられ、ゴミ保護用ネットのネット部から延びるロープ部を吊るす吊掛部とを備えている。そして、吊掛部にロープ部を吊るすことによりゴミ保護用ネットを保持する。
【０００７】
このネット保持具は、ゴミ保護用ネットのネット部から延びるロープ部を吊るす吊掛部を備えているので、ゴミ保護用ネットのロープ部を持って吊掛部に吊るすことにより、ゴミを覆うように被せられるネット部に触れることなくゴミ保護用ネットをネット保持具に保持させることができる。これにより、ゴミ保護用ネットの保管の際、ネット部に付着したゴミの汚れで手を汚すことなくゴミ保護用ネットをネット保持具に保持させることができる。また、吊掛部にロープ部を吊るしたり外したりするだけでネット保持具にゴミ保護用ネットを容易に掛外しできるので、ネット保持具にゴミ保護用ネットが容易に取外しできないように固定されている場合と異なり、ゴミ保護用ネットを容易に交換することができる。
【０００８】
上記のネット保持具において、基部に取り付けられ、ゴミ保護用ネットが正面から見えないように遮蔽する遮蔽部をさらに備えているのが好ましい。このように構成すれば、遮蔽部によりネット保持具に保持させたゴミ保護用ネットを正面から見えなくすることができるので、景観を良好に保つことができる。また、ゴミ保護用ネットが遮蔽部により遮蔽されるので、強風時にゴミ保護用ネットが飛ばされるのを抑制することができる。
【０００９】
この場合において、遮蔽部の外面には、種々の表示が記載された表示板を取り付けるための表示板取付部が設けられているのが好ましい。このように構成すれば、表示板取付部に取り付ける表示板に可燃ゴミや不燃ゴミなどの収集するゴミの種別やゴミの収集日などの掲示、または、種々の広告などを記載して表示することができる。
【００１０】
上記遮蔽部を含む構成において、遮蔽部は、その外面に種々の表示が記載される表示板として兼用されているのが好ましい。このように構成すれば、ネット保持具に種々の表示を付する場合に遮蔽部とは別に表示板を設けなくてもよいので、部品点数が増加するのを抑制することができる。
【００１１】
また、上記のネット保持具において、基部は、柱状に形成されており、吊掛部は、基部から突出するように設けられていてもよい。このように構成すれば、ネット保持具を全体として略柱状に構成することができるので、ネット保持具の設置スペースを小さくすることができる。
【００１２】
この場合において、基部には、種々の表示が記載された表示体を取り付けるための表示体取付部が設けられているのが好ましい。このように構成すれば、表示体取付部に取り付ける表示体に可燃ゴミや不燃ゴミなどの収集するゴミの種別やゴミの収集日などの掲示、または、種々の広告などを記載して表示することができる。
【００１３】
上記基部が柱状に形成されるとともにその上部に吊掛部が設けられている構成において、基部の下部には、ゴミ保護用ネットの下部を係止する係止部が設けられているのが好ましい。このように構成すれば、係止部にネット保持具に保持されたゴミ保護用ネットの下部を係止させることができるので、強風時にゴミ保護用ネットが飛ばされるのを確実に抑制することができる。
【００１４】
また、上記のネット保持具と、そのネット保持具に保持されるゴミ保護用ネットとからなるネット保持装置を前提として、ゴミ保護用ネットのネット部は、屏風状に折畳み可能であり、ネット部の一方面には、略平行に配置される一対の第１ロープ部がネット部の折り目の山ごとに設けられた第１支持部を介してその長手方向に移動可能に取り付けられ、ネット部の他方面の一対の第１ロープ部に対応する位置には、略平行に配置される一対の第２ロープ部がネット部の折り目の谷ごとに設けられた第２支持部を介してその長手方向に移動可能に取り付けられ、一対の第１ロープ部および一対の第２ロープ部を引張ることにより、複数の第１支持部が互いに寄せ合わされるとともに複数の第２支持部が互いに寄せ合わされてネット部が折畳まれ、折畳まれたネット部を一対の第１ロープ部および一対の第２ロープ部を持って持ち上げることにより、折畳まれたネット部が一対の第１ロープ部間および一対の第２ロープ部間の領域を折り目の谷側としてさらに折畳まれるのが好ましい。
【００１５】
このネット保持装置では、ネット保持具にゴミ保護用ネットを保持させる前に、ゴミ保護用ネットのネット部に取り付けられた第１ロープ部および第２ロープ部のみを持ってネット部を折畳むことができるので、ゴミを覆うように被せられるネット部に触れることなくネット部を折畳むことができる。これにより、ネット部に付着したゴミの汚れで手を汚すことなくネット部を折畳むことができる。また、屏風状に折畳んだネット部をさらに折畳むことができるので、ゴミ保護用ネットをコンパクトに折畳んでネット保持具に保持させることができる。これにより、ゴミ保護用ネットのネット部が大面積を有する場合でも、不使用時には場所を取らないようにしてネット保持具に保持させておくことができる。
【発明の効果】
【００１６】
以上説明したように、本発明によるネット保持具およびネット保持装置では、ゴミ保護用ネットの保管の際、ネット部に付着したゴミの汚れで手を汚すことなくゴミ保護用ネットをネット保持具に保持させることができる。
【発明を実施するための最良の形態】
【００１７】
以下、本発明の実施形態を図面を参照して説明する。
【００１８】
（第１実施形態）
図１は、本発明の第１実施形態によるネット保持装置の全体構成を示した正面図であり、図２は、図１に示したネット保持装置のネット保持具１０からカバー部４を外した状態を示した正面図であり、図３は、図２に示したネット保持具１０の５００−５００線に沿った断面図である。また、図４は、図１に示したネット保持装置のネット保持具１０のカバー部４を示した正面図である。また、図５〜図８は、図１に示したネット保持装置のゴミ保護用ネット５０の構成を説明するための図である。以下、図１〜図８を参照して、本発明の第１実施形態によるネット保持装置、ネット保持具およびゴミ保護用ネットの構成について説明する。
【００１９】
第１実施形態によるネット保持装置は、図１および図２に示すように、ネット保持具１０と、そのネット保持具１０に保持されるゴミ保護用ネット５０とからなる。そして、ネット保持具１０は、基部１と、背面支持部２と、一対のフック部３，３（吊掛部）と、カバー部４（遮蔽部）とを備えている。
【００２０】
基部１は、略Ｕ字状の支柱部６と、その支柱部６の内側に取り付けられた枠部７とを有している。支柱部６は円管を略Ｕ字状に曲げることにより形成されている。そして、支柱部６は、その両端部が地中に埋設されることにより逆Ｕ字状となるように地面に立設されている。そして、支柱部６は、地面に垂直に立設される一対の直立部６ａおよび６ｂと、その一対の直立部６ａおよび６ｂ間を繋ぐ中間部６ｃとによって構成されている。
【００２１】
また、支柱部６の地中に埋設された両端部には、正面側から背面側へ貫通する貫通孔（図示せず）がそれぞれ設けられており、この貫通孔にアンカーボルト６ｄが挿通されている。そして、このアンカーボルト６ｄにより支柱部６が地面から抜けるのが抑制される。
【００２２】
支柱部６の一方の直立部６ａの正面側には、一対の蝶番軸部８，８が取り付けられている。この一対の蝶番軸部８，８は、後述するカバー部４の一対の蝶番軸受部４ａ，４ａをそれぞれ軸支する部分であり、上下に所定の間隔を隔てて設けられている。また、支柱部６の他方の直立部６ｂの正面側には、Ｕ字状の係合部６ｅが取り付けられている。この係合部６ｅは、後述するカバー部４の開口部４ｃに係合する部分である。そして、係合部６ｅは、その両端部が支柱部６の直立部６ｂに固定されるとともに、その中間部が支柱部６の正面側へ突出するように設けられている。
【００２３】
また、直立部６ｂの係合部６ｅから下方へ所定の距離離れた位置には、留め具６ｆが設けられている。この留め具６ｆは、カバー部４を閉じた状態で留めるためのものであり、直立部６ｂの外側面側に地面に対して略垂直方向に延びるように設けられた軸部６ｇ（図１参照）と、その軸部６ｇに回動可能に支持される押え部６ｈとを含んでいる。この留め具６ｆでは、押え部６ｈを回動させてカバー部４の表面に当接させることによりカバー部４を閉じた状態で開かないように押えるようになっている。
【００２４】
また、枠部７は、断面Ｌ字型のアングルによって形成されており、正面から見て長方形に構成されている。この枠部７で囲まれることによって、枠部７の内側に長方形の開口部７ａが構成されている。
【００２５】
上記背面支持部２は、枠部７の内側に取り付けられており、枠部７によって形成された上記開口部７ａを覆うように設置されている。この背面支持部２は、ゴミ保護用ネット５０を背面側から支持する部分である。そして、背面支持部２は、網目状の部材、例えばエキスパンドメタルによって形成されており、背面側から通気可能となっている。
【００２６】
そして、第１実施形態では、図２および図３に示すように、上記一対のフック部３，３（吊掛部）が上記枠部７の上部内側に取り付けられている。この一対のフック部３，３は、後述するゴミ保護用ネット５０のネット部５１から延びる第１ロープ部５２ａおよび５２ｂと第２ロープ部５３ａおよび５３ｂとをそれぞれ吊るすための部分であり、枠部７の短手方向（左右方向）に所定の間隔を隔てて配置されている。
【００２７】
上記カバー部４（遮蔽部）は、図１に示すように、支柱部６の直立部６ａに回動可能に取り付けられており、ドアのように開閉自在となっている。このカバー部４は、フック部３，３（図２参照）に吊るされたゴミ保護用ネット５０を正面から見えないように遮蔽する機能を有している。そして、カバー部４は、図４に示すように、正面から見て上記枠部７および背面支持部２（図２参照）とほぼ同形の略長方形に形成されている。
【００２８】
カバー部４の一方の側端部には、一対の蝶番軸受部４ａ，４ａが上下に所定の間隔を隔てて設けられている。この一対の蝶番軸受部４ａ，４ａは、上記支柱部６の直立部６ａに設けられた一対の蝶番軸部８，８（図２参照）にそれぞれ軸支されている。これにより、カバー部４が上記蝶番軸部８，８を中心に開閉するようになっている。
【００２９】
また、第１実施形態では、カバー部４の正面側の外面に表示板取付部４ｂが設けられており、この表示板取付部４ｂに種々の表示が記載された表示板２０が正面側からねじ止めされている。表示板取付部４ｂは、上下に並んで２つ設けられており、そのそれぞれに異なった表示板２０を取り付け可能となっている。表示板２０には、例えば、可燃ゴミや不燃ゴミなどの収集するゴミの種別やゴミの収集日などの掲示、または、種々の広告などを表示できるようになっている。
【００３０】
また、カバー部４の他方の側端部近傍には、略楕円形の開口部４ｃが設けられている。この開口部４ｃには、カバー部４が閉じられるときに上記支柱部６の直立部６ｂに設けられた係合部６ｅが係合するようになっている。
【００３１】
上記ゴミ保護用ネット５０は、カラスや猫などの小動物からゴミを保護するものであり、ゴミ収集場所に載置されたゴミを覆うように被せることにより小動物がゴミを散乱させるのを防止する。このゴミ保護用ネット５０は、図５に示すように、ネット部５１と、一対の第１ロープ部５２ａおよび５２ｂと、一対の第２ロープ部５３ａおよび５３ｂと、第１支持部５４と、第２支持部５５とを有している。
【００３２】
ネット部５１は、ゴミを覆うように被せられる部分である。このネット部５１は、広げた状態で略長方形となるように形成されており、その長手方向に所定間隔で複数（第１実施形態では７つ）の折り目５１ａが設けられている。そして、ネット部５１では、その長手方向に沿って端から順に折り目５１ａの山５１ｂと谷５１ｃとが交互に配置されている。そして、このネット部５１は、複数の折り目５１ａ部分で屏風状に折畳むことが可能となっている。
【００３３】
一対の第１ロープ部５２ａおよび５２ｂは、ネット部５１の表面側に第１支持部５４を介してその長手方向に移動可能にそれぞれ取り付けられており、略平行に配置されている。第１支持部５４は、ネット部５１の表面の上記折り目５１ａの山５１ｂごとに設けられており、ネット部５１の長手方向に直線的に並ぶように配置されている。そして、各第１支持部５４には、支持穴５４ａが設けられており、この支持穴５４ａに第１ロープ部５２ａ（５２ｂ）が遊動可能に挿通されている。これにより、第１ロープ部５２ａ（５２ｂ）は、その長手方向に沿って移動可能に各第１支持部５４に支持されている。また、第１ロープ部５２ａ（５２ｂ）の一方端には抜け止めとして機能する結び目５２ｃが形成されており、第１ロープ部５２ａ（５２ｂ）の他方端側を引張ったときに一方端側が第１支持部５４の支持穴５４ａから抜けないようになっている。
【００３４】
また、上記一対の第２ロープ部５３ａおよび５３ｂは、ネット部５１の裏面側の上記第１ロープ部５２ａおよび５２ｂに対応する位置に第２支持部５５を介してその長手方向に移動可能にそれぞれ取り付けられており、略平行に配置されている。第２支持部５５は、ネット部５１の裏面の上記折り目５１ａの谷５１ｃごととネット部５１の裏面の長手方向両端部とに設けられており、上記第１支持部５４の配置された直線上に並ぶように配置されている。そして、各第２支持部５５には、支持穴５５ａが設けられており、この支持穴５５ａに第２ロープ部５３ａ（５３ｂ）が遊動可能に挿通されている。これにより、第２ロープ部５３ａ（５３ｂ）は、その長手方向に沿って移動可能に各第２支持部５５に支持されている。また、第２ロープ部５３ａ（５３ｂ）の一方端には抜け止めとして機能する結び目５３ｃが形成されており、第２ロープ部５３ａ（５３ｂ）の他方端側を引張ったときに一方端側が第２支持部５５の支持穴５５ａから抜けないようになっている。
【００３５】
また、第１ロープ部５２ａ（５２ｂ）の上記他方端側および第２ロープ部５３ａ（５３ｂ）の上記他方端側は、ネット部５１に対して同じ側でネット部５１から外れた位置に配置されており、ネット部５１をゴミ上に掛けた場合でもゴミに触れないようになっている。また、第１ロープ部５２ａ（５２ｂ）と第２ロープ部５３ａ（５３ｂ）とは、それぞれ異なる色が付けられることによって色分けされており、第１ロープ部５２ａ（５２ｂ）と第２ロープ部５３ａ（５３ｂ）とが混在した状態でも、第１ロープ部５２ａ（５２ｂ）と第２ロープ部５３ａ（５３ｂ）とが即座に見分けられるようになっている。なお、このような効果が不要であれば、第１ロープ部５２ａ（５２ｂ）と第２ロープ部５３ａ（５３ｂ）とを同色にしてもよい。
【００３６】
そして、第１実施形態では、図６に示すように、第１ロープ部５２ａおよび５２ｂの上記他方端側と第２ロープ部５３ａおよび５３ｂの上記他方端側とを同方向へ引張ることにより、ネット部５１の表面側の各第１支持部５４が互いに寄せ合わされるとともに、ネット部５１の裏面側の各第２支持部５５が互いに寄せ合わされる。これにより、ネット部５１が図６および図７に示すように屏風状に折畳まれるようになっている。
【００３７】
さらに、第１実施形態では、図７のように折畳まれたネット部５１を図８に示すように一対の第１ロープ部５２ａおよび５２ｂと一対の第２ロープ部５３ａおよび５３ｂとを持って持ち上げることにより、ネット部５１が一対の第１ロープ部５２ａおよび５２ｂ間の領域でかつ一対の第２ロープ部５３ａおよび５３ｂ間の領域を折り目の谷側としてさらに折畳まれるようになっている。そして、このようにネット部５１が折畳まれてコンパクトになったゴミ保護用ネット５０の第１ロープ部５２ａおよび５２ｂと第２ロープ部５３ａおよび５３ｂとをそれぞれネット保持具１０の一対のフック部３，３に吊るすことによって、保管の際、ネット保持具１０にゴミ保護用ネット５０を保持させるようになっている。
【００３８】
なお、この第１実施形態では、上記のようなネット部５１の折畳み作業を作業者がネット部５１から延びる第１ロープ部５２ａおよび５２ｂと第２ロープ部５３ａおよび５３ｂとを持って行うことができるので、地面に置いたゴミ保護用ネットを直接手で掴んでロール状に丸めたり、折畳んだりする場合と異なり、作業者が屈んでそのような作業を行うことなく立ったままで作業を行うことが可能である。このため、作業者の作業負担を軽減することが可能である。  
【００３９】
また、この第１実施形態によるネット保持具１０では、ゴミ保護用ネット５０を第１ロープ部５２ａおよび５２ｂと第２ロープ部５３ａおよび５３ｂとによってフック部３，３に吊るして保持した状態でゴミ保護用ネット５０のネット部５１に水を掛けて洗浄することができる。これにより、ネット部５１を直接手で持って洗浄する場合と異なり、ネット部５１に付着したゴミの汚れで手を汚すことなくゴミ保護用ネット５０を洗浄することが可能となっている。
【００４０】
以上のような第１実施形態によるネット保持装置およびネット保持具１０では、上記のように、ゴミ保護用ネット５０のネット部５１から延びる第１ロープ部５２ａおよび５２ｂと第２ロープ部５３ａおよび５３ｂとをそれぞれ吊るす一対のフック部３，３を備えているので、ゴミ保護用ネット５０の第１ロープ部５２ａおよび５２ｂと第２ロープ部５３ａおよび５３ｂとを持って一対のフック部３，３に吊るすことにより、ゴミを覆うように被せられるネット部５１に触れることなくゴミ保護用ネット５０をネット保持具１０に保持させることができる。これにより、ゴミ保護用ネット５０の保管の際、ネット部５１に付着したゴミの汚れで手を汚すことなくゴミ保護用ネット５０をネット保持具１０に保持させることができる。また、一対のフック部３，３に第１ロープ部５２ａおよび５２ｂと第２ロープ部５３ａおよび５３ｂとをそれぞれ吊るしたり外したりするだけでネット保持具１０にゴミ保護用ネット５０を容易に掛外しできるので、ネット保持具にゴミ保護用ネットが容易に取外しできないように固定されている場合と異なり、ゴミ保護用ネット５０を容易に交換することができる。
【００４１】
また、第１実施形態では、ネット保持具１０がカバー部４を備えているので、カバー部４によりネット保持具１０に保持されたゴミ保護用ネット５０を正面から見えなくすることができる。これにより、景観を良好に保つことができる。また、ゴミ保護用ネット５０がカバー部４により遮蔽されるので、強風時にゴミ保護用ネット５０が飛ばされるのを抑制することができる。
【００４２】
また、第１実施形態では、カバー部４の外面に表示板２０を取り付けるための表示板取付部４ｂが設けられているので、表示板２０に可燃ゴミや不燃ゴミなどの収集するゴミの種別やゴミの収集日などの掲示、または、種々の広告などを記載して表示することができる。
【００４３】
また、第１実施形態では、ネット保持具１０にゴミ保護用ネット５０を保持させる前に、ゴミ保護用ネット５０の第１ロープ部５２ａおよび５２ｂと第２ロープ部５３ａおよび５３ｂとを持ってネット部５１を折畳むことができるので、ゴミを覆うように被せられるネット部５１に触れることなくネット部５１を折畳むことができる。これにより、ネット部５１に付着したゴミの汚れで手を汚すことなくネット部５１を折畳むことができる。また、屏風状に折畳んだネット部５１をさらに折畳むことができるので、ゴミ保護用ネット５０をコンパクトに折畳んでネット保持具１０に保持させることができる。これにより、ゴミ保護用ネット５０のネット部５１が大面積を有する場合でも、保管の際、場所を取らないようにしてネット保持具１０に保持させておくことができる。
【００４４】
（第２実施形態）
図９は、本発明の第２実施形態によるネット保持装置の全体構成を示した正面図であり、図１０は、図９に示したネット保持装置のネット保持具６０の側面図である。図１１は、図１０に示したネット保持具６０の上端部近傍を部分的に拡大して示した正面図であり、図１２は、図１１に示したネット保持具６０の６００−６００線に沿った断面図である。次に、図９〜図１２を参照して、本発明の第２実施形態によるネット保持装置およびネット保持具６０の構成について説明する。
【００４５】
この第２実施形態によるネット保持装置では、上記第１実施形態によるネット保持装置と異なり、ネット保持具６０が略円柱状に構成されており、そのネット保持具６０の上部に設けられた一対のフック部６３，６３にゴミ保護用ネット５０を吊り下げることによりゴミ保護用ネット５０を保持するようになっている。
【００４６】
具体的には、この第２実施形態によるネット保持装置のネット保持具６０は、図９および図１０に示すように、略円柱状の基部６１と、一対のフック部６３，６３とを有している。
【００４７】
基部６１は、図９に示すように、支柱部６６と、キャップ部７０とによって構成されている。支柱部６６は、円筒管からなり、その下端部が地中に埋設されることにより、地面に垂直に立設されている。この支柱部６６の下端部には、図９の左右方向に貫通する貫通孔（図示せず）が設けられており、この貫通孔にアンカーボルト６６ｄが挿通されている。このアンカーボルト６６ｄにより支柱部６６が地面から抜けるのが抑制されている。キャップ部７０は、上部が中空の半球状に形成されるとともに下部が円筒状に形成されており、その下部が上記支柱部６６の上端部に嵌合している。
【００４８】
そして、第２実施形態では、図１１および図１２に示すように、上記一対のフック部６３，６３がキャップ部７０の背面側においてキャップ部７０の左右両側にそれぞれ突出するように設けられている。この一対のフック部６３，６３にゴミ保護用ネット５０のネット部５１から延びる第１ロープ部５２ａ（５２ｂ）と第２ロープ部５３ａ（５３ｂ）とがそれぞれ吊るされることにより、ゴミ保護用ネット５０がネット保持具６０に保持されるようになっている。
【００４９】
また、キャップ部７０の正面側には、表示板８０（表示体）を取り付けるための表示板取付部７１（表示体取付部）が設けられている。すなわち、キャップ部７０は、図１２に示すように、内部の中空の空間が仕切壁７０ａによって仕切られており、その仕切壁７０ａの正面側の空間が表示板取付部７１となっている。
【００５０】
この表示板取付部７１は、開口部７１ａと、表示板挿入口７１ｂとを有している。開口部７１ａは、キャップ部７０の正面側に方形に開口している。表示板挿入口７１ｂは、キャップ部７０の開口部７１ａの側方位置に設けられており、そこから表示板８０をスライド挿入することが可能となっている。そして、挿入された表示板８０を開口部７１ａを介して正面側から見ることができるようになっている。表示板８０は、この第２実施形態による表示板取付部７１のサイズに合わせて、上記第１実施形態による表示板２０（図１参照）に比べて小さなサイズに形成されている。また、この表示板８０には、上記第１実施形態による表示板２０（図１参照）と同様の内容を表示できるようになっている。
【００５１】
また、支柱部６６の下部の背面側には、図１０に示すように、ゴミ保護用ネット５０の下部を係止するための係止部７５が取り付けられている。この係止部７５は、例えばカラビナなどの環状の部材からなり、ゴミ保護用ネット５０の下部に所定の紐部材（図示せず）を取り付けるとともにその紐部材（図示せず）を係止部７５に引掛けることによりゴミ保護用ネット５０の下部を係止することが可能となっている。
【００５２】
以上のような第２実施形態によるネット保持装置およびネット保持具６０では、上記のように、ゴミ保護用ネット５０のネット部５１から延びる第１ロープ部５２ａおよび５２ｂと第２ロープ部５３ａおよび５３ｂとをそれぞれ吊るす一対のフック部６３，６３を備えているので、上記第１実施形態と同様、ゴミ保護用ネット５０の保管の際、ネット部５１に付着したゴミの汚れで手を汚すことなくゴミ保護用ネット５０をネット保持具６０に保持させることができるという効果が得られる。
【００５３】
また、第２実施形態では、基部６１が略円柱状に形成されているとともに、一対のフック部６３，６３が基部６１の上部の左右両側に突出するように設けられているので、ネット保持具６０を全体として略柱状に構成することができる。これにより、ネット保持具６０の設置スペースを小さくすることができる。
【００５４】
また、第２実施形態では、基部６１の支柱部６６の下部にゴミ保護用ネット５０の下部を係止する係止部７５が設けられているので、係止部７５にネット保持具６０に保持されたゴミ保護用ネット５０の下部を係止させて、強風時にゴミ保護用ネット５０が飛ばされるのを確実に抑制することができる。
【００５５】
この第２実施形態による上記以外の効果は、上記第１実施形態による効果と同様である。
【００５６】
（第３実施形態）
図１３は、本発明の第３実施形態によるネット保持装置の全体構成を示した正面図であり、図１４は、図１３に示したネット保持装置のネット保持具１１０の側面図である。次に、図１３および図１４を参照して、本発明の第３実施形態によるネット保持装置およびネット保持具１１０の構成について説明する。
【００５７】
この第３実施形態によるネット保持装置では、上記第１実施形態によるネット保持装置と異なり、ゴミ保護用ネット５０を正面から見えないように遮蔽するネット保持具１１０の遮蔽板１０４（遮蔽部）が表示板１２０として兼用されている。
【００５８】
具体的には、この第３実施形態によるネット保持具１１０は、図１３に示すように、一対の支柱部１０６，１０６と３本の横桟１０７ａ〜１０７ｃとからなる基部１０１を有している。一対の支柱部１０６，１０６は、直線的に形成された円管状の部材からなり、地面に対して垂直に立設されるとともに、正面から見て所定間隔を隔てて平行に配置されている。この一対の支柱部１０６，１０６の下端部から所定の高さまでの部分は、地中に埋設されており、その下端部に設けられた貫通孔（図示せず）に上記第１実施形態と同様の抜け止めとしてのアンカーボルト６ｄが挿通されている。
【００５９】
また、一対の支柱部１０６，１０６の背面側には、図１４に示すように、２つの係止部１０３ａ（吊掛部）および１０３ｂがそれぞれ取り付けられている。この係止部１０３ａおよび１０３ｂは、上記第２実施形態による係止部７５（図１０参照）と同様のカラビナなどの環状の部材からなる。２つの係止部１０３ａおよび１０３ｂは、上下に所定の間隔を隔てて配置されており、上側の係止部１０３ａは、支柱部１０６の背面の上端部近傍に取り付けられ、下側の係止部１０３ｂは、支柱部１０６の背面の地面から少し上の位置に取り付けられている。
【００６０】
そして、ゴミ保護用ネット５０のネット部５１から延びる第１ロープ部５２ａ（５２ｂ）と第２ロープ部５３ａ（５３ｂ）とを上側の係止部１０３ａ，１０３ａ（吊掛部）にそれぞれ吊るすことによってネット保持具１１０にゴミ保護用ネット５０を保持させるようになっている。この際、第１ロープ部５２ａ（５２ｂ）および第２ロープ部５３ａ（５３ｂ）は、それぞれ対応する支柱部１０６の上側の環状の係止部１０３ａ，１０３ａに通された後、互いに対角に位置する他方の支柱部１０６の下側の係止部１０３ｂ，１０３ｂに括りつけられる。これにより、ゴミ保護用ネット５０がネット保持具１１０に確実に固定される。
【００６１】
３本の横桟１０７ａ〜１０７ｃは、直線的に形成された円管状の部材からなり、上記一対の支柱部１０６間を繋ぐように設けられるとともに、支柱部１０６に直交する方向に延びるように配置されている。また、３本の横桟１０７ａ〜１０７ｃは、支柱部１０６の上端部近傍から下側へ順番に等間隔で設けられている。そして、上側の横桟１０７ａと真中の横桟１０７ｂと一対の支柱部１０６，１０６とで囲まれた略正方形の空間と、真中の横桟１０７ｂと下側の横桟１０７ｃと一対の支柱部１０６，１０６とで囲まれた略正方形の空間とが形成されている。
【００６２】
そして、上側の略正方形の空間の４隅に相当する位置と、下側の略正方形の空間の４隅に相当する位置とには、正面から見て略正方形の小片の板状体からなるブラケット１０８がそれぞれ設けられている。これらのブラケット１０８は、対応する支柱部１０６および横桟１０７ａ〜１０７ｃにそれぞれ取り付けられており、各ブラケット１０８の中央には、貫通孔１０８ａがそれぞれ設けられている。
【００６３】
そして、上記２つの略正方形の空間にこの空間と同形の遮蔽板１０４がそれぞれ設置される。この遮蔽板１０４によって、ネット保持具１１０の背面側で保持されるゴミ保護用ネット５０が正面から見えないように遮蔽される。遮蔽板１０４は、その４つの角部が上記略正方形の空間の４隅に設けられたブラケット１０８に対してそれぞれ取り付けられる。この際、遮蔽板１０４をブラケット１０８の貫通孔１０８ａに対してねじ止めしたり、遮蔽板１０４の背面側に取り付けた結合ピン（図示せず）をブラケット１０８の貫通孔１０８ａに挿嵌することなどによって、遮蔽板１０４がブラケット１０８に固定される。
【００６４】
そして、この第３実施形態では、遮蔽板１０４が表示板１２０として兼用されており、その正面側に上記第１実施形態による表示板２０（図１参照）と同様の内容が表示されるようになっている。
【００６５】
以上のような第３実施形態によるネット保持装置およびネット保持具１１０では、ゴミ保護用ネット５０の第１ロープ部５２ａおよび５２ｂと第２ロープ部５３ａおよび５３ｂとを持ってネット保持具１１０の一対の係止部１０３ａ，１０３ａに吊るすことにより、ゴミ保護用ネット５０の保管の際、ネット部５１に付着したゴミの汚れで手を汚すことなくゴミ保護用ネット５０をネット保持具１０に保持させることができるなどの上記第１実施形態と同様の効果を得ることができる。
【００６６】
また、第３実施形態では、遮蔽板１０４が表示板１２０として兼用されているので、ネット保持具１１０に種々の表示を付する場合に遮蔽板１０４とは別に表示板を設けなくてもよく、部品点数が増加するのを抑制することができる。
【００６７】
（第４実施形態）
図１５は、本発明の第４実施形態によるネット保持装置のネット保持具１３０の上端部近傍を部分的に示した正面図である。図１６は、図１５に示したネット保持具１３０の縦断面図であり、図１７は、図１５に示したネット保持具１３０の７００−７００線に沿った断面図である。図１８および図１９は、図１５に示したネット保持具１３０に用いる表示体１５０の構成を説明するための図である。次に、図１５〜図１９を参照して、本発明の第４実施形態によるネット保持装置およびネット保持具１３０の構成について説明する。
【００６８】
この第４実施形態によるネット保持装置およびネット保持具１３０は、上記第２実施形態と異なり、外周面に４つの表示部１５０ａが設けられた回転体１５１を含む表示体１５０を備えており、この表示体１５０をその軸回りに回転させて表示部１５０ａによる表示を切り替えることが可能となっている。
【００６９】
具体的には、この第４実施形態によるネット保持具１３０は、図１５に示すように、上記第２実施形態と同様の支柱部６６と、この支柱部６６の上端部に設けられた表示体取付部１４０とからなる基部１３１を備えている。表示体取付部１４０は、表示体１５０を取り付けるための部分であり、表示体取付部１４０の背面側には、表示体取付部１４０の左右両側にそれぞれ突出するように上記第２実施形態と同様の一対のフック部６３，６３（吊掛部）が設けられている。表示体取付部１４０は、有底の筒状に構成されており、その正面側には、方形に開口された開口部１４０ａが設けられている。
【００７０】
また、表示体取付部１４０の底面部１４０ｂの中央には、図１６に示すように、貫通孔１４０ｃが設けられており、この表示体取付部１４０の底面部１４０ｂの貫通孔１４０ｃの周囲には、図１６および図１７に示すように、突起部１４０ｄが設けられている。突起部１４０ｄは、貫通孔１４０ｃの周囲に９０°間隔で４つ設けられており、それぞれ、正面側の中心位置と、背面側の中心位置と、左右両側とに配置されている。そして、図１５に示すように、表示体取付部１４０の上端部を覆うように蓋部１４１が取り付けられており、この蓋部１４１の中心位置には上下方向に貫通する貫通孔１４１ａが設けられている。そして、蓋部１４１で上側が覆われた表示体取付部１４０内の空間に表示体１５０の回転体１５１が収容されるようになっている。
【００７１】
表示体１５０は、図１８および図１９に示すように、回転体１５１と、軸部１５２と、把持部１５３とを有している。回転体１５１は、中空の略円柱形状に構成されており、その外周面に４つの表示部１５０ａが周方向に等間隔で設けられている。この表示部１５０ａには、上記第２実施形態による表示板８０（図９参照）と同様の内容の掲示や広告が表示される。この表示部１５０ａは、例えば上記の掲示や広告が記載されたシールなどからなり、そのシールが回転体１５１の外周面に貼付される。
【００７２】
また、回転体１５１の下端部には、各表示部１５０ａの中心に対応する位置に切欠部１５１ａがそれぞれ設けられている。この切欠部１５１ａは、表示体取付部１４０の底面部１４０ｂに設けられた突起部１４０ｄと係合するためのものであり、表示体１５０を回転操作する際、切欠部１５１ａが突起部１４０ｄと係合することにより各表示部１５０ａが表示体取付部１４０の正面の開口部１４０ａ内に合致した位置で表示体１５０を正確に停止させることが可能となっている。そして、開口部１４０ａを介して表示部１５０ａに記載された表示を正面側から見ることができるようになっている。
【００７３】
軸部１５２は、回転体１５１の軸心に相当する位置に挿通されており、表示体１５０の回転軸となる部分である。この軸部１５２は、その下端側が回転体１５１の下面から下方に突出している一方、上端側は回転体１５１の上面から上方に突出している。そして、軸部１５２の下端部は、表示体取付部１４０の底面に設けられた貫通孔１４０ｃに挿通されているとともに、軸部１５２の上端部は、蓋部１４１の貫通孔１４１ａを介して蓋部１４１の上側に設けられる把持部１５３と結合している。
【００７４】
把持部１５３は、その軸心に相当する位置に上記軸部１５２が挿嵌されるとともにねじ止めされることによって軸部１５２と結合されている。また、把持部１５３の周面には、凹凸形状が形成されており、把持部１５３を掴んで表示体１５０を回転操作する際に手が滑りにくいようになっている。
【００７５】
第４実施形態によるネット保持装置およびネット保持具１３０の上記以外の構成は、上記第２実施形態によるネット保持装置およびネット保持具６０の構成と同様である。
【００７６】
以上のような第４実施形態によるネット保持装置およびネット保持具１３０では、ゴミ保護用ネット５０の第１ロープ部５２ａおよび５２ｂと第２ロープ部５３ａおよび５３ｂとを持ってネット保持具１３０の一対のフック部６３，６３に吊るすことにより、ゴミ保護用ネット５０の保管の際、ネット部５１に付着したゴミの汚れで手を汚すことなくゴミ保護用ネット５０をネット保持具１３０に保持させることができるなどの上記第２実施形態と同様の効果を得ることができる。
【００７７】
（第５実施形態）
図２０は、本発明の第５実施形態によるネット保持装置およびネット保持具１６０の全体構成を示した正面図であり、図２１は、図２０に示したネット保持具１６０の側面図である。次に、図２０および図２１を参照して、本発明の第５実施形態によるネット保持装置およびネット保持具１６０の構成について説明する。
【００７８】
この第５実施形態によるネット保持装置およびネット保持具１６０は、上記第１〜第４実施形態と異なり、所望の場所に自在に設置可能な据え置き型に構成されている。
【００７９】
具体的には、この第５実施形態によるネット保持具１６０は、図２０に示すように、土台部１６１ａ、支柱部１６１ｂおよび枠部１６１ｃからなる基部１６１と、一対のフック部１６３，１６３（吊掛部）と、遮蔽板１６４（遮蔽部）とを備えている。
【００８０】
土台部１６１ａは、略半球状に形成されており、その平面側が地面に接するように設置され、支柱部１６１ｂは、土台部１６１ａの中心位置の上端部から上方へ垂直に延びるように設けられ、枠部１６１ｃは支柱部１６１ｂからさらに上方に位置するように支柱部１６１ｂの上端部に結合されている。そして、土台部１６１ａを上記のように設置することにより、基部１６１が地面に垂直に立設されるようになっている。したがって、この第５実施形態では、基部１６１の地中への埋設作業などを必要とせず、基部１６１を容易に地面上に設置することが可能であり、ネット保持具１６０を所望の場所に自在に据え置くことが可能となっている。このため、この第５実施形態では、ネット保持具１６０の設置作業を容易に行えるようになっている。
【００８１】
また、土台部１６１ａは、支柱部１６１ｂおよび枠部１６１ｃよりも大きな横幅（径）を有するように構成されており、上記のように地面上に設置する際、土台部１６１ａよりも上方に位置する部分を安定して支持することができるようになっている。なお、土台部１６１ａを中空に形成するとともに、その土台部１６１ａの内部の空間に水や砂などを入れて土台部１６１ａが大きな重量を有するようにすることによって、地面上に設置される基部１６１の安定度を向上させるようにしてもよい。
【００８２】
また、支柱部１６１ｂの背面側には、図２１に示すように、ゴミ保護用ネット５０の第１ロープ部５２ａ（５２ｂ）および第２ロープ部５３ａ（５３ｂ）を括りつけるための係止部１６５が取り付けられている。また、枠部１６１ｃは、正面から見て略長方形に形成されており、その内側に遮蔽板１６４が取り付けられる。
【００８３】
上記一対のフック部１６３，１６３は、枠部１６１ｃの上部の左右両側に突出するように設けられており、この一対のフック部１６３，１６３にゴミ保護用ネット５０のネット部５１から延びる第１ロープ部５２ａ（５２ｂ）および第２ロープ部５３ａ（５３ｂ）をそれぞれ吊るすことによりゴミ保護用ネット５０がネット保持具１６０に保持されるようになっている。この際、ゴミ保護用ネット５０は、ネット保持具１６０の背面側で保持され、一対のフック部１６３，１６３にそれぞれ吊り掛けられた第１ロープ部５２ａ（５２ｂ）および第２ロープ部５３ａ（５３ｂ）のネット部５１と反対側の端部は、係止部１６５に括りつけられるようになっている。これにより、ゴミ保護用ネット５０がネット保持具１６０に確実に固定されるようになっている。
【００８４】
上記遮蔽板１６４は、枠部１６１ｃの形状に対応した略長方形に構成されており、枠部１６１ｃの内側に取り付けられている。この遮蔽板１６４により、ネット保持具１６０の背面側で保持されるゴミ保護用ネット５０が正面から見えないように遮蔽される。
【００８５】
また、第５実施形態では、上記第３実施形態と同様、遮蔽板１６４が表示板１８０として兼用されており、遮蔽板１６４の正面側には、上記第３実施形態による遮蔽板１０４（図１３参照）と同様の内容の掲示や広告が表示されている。
【００８６】
以上のような第５実施形態によるネット保持装置およびネット保持具１６０では、ゴミ保護用ネット５０の第１ロープ部５２ａおよび５２ｂと第２ロープ部５３ａおよび５３ｂとを持ってネット保持具１６０の一対のフック部１６３，１６３に吊るすことにより、ゴミ保護用ネット５０の保管の際、ネット部５１に付着したゴミの汚れで手を汚すことなくゴミ保護用ネット５０をネット保持具１６０に保持させることができるなどの上記第１実施形態と同様の効果を得ることができる。
【００８７】
また、第５実施形態では、遮蔽板１６４が表示板１８０として兼用されているので、上記第３実施形態と同様、ネット保持具１６０に種々の表示を付する場合に遮蔽板１６４とは別に表示板を設けなくてもよく、部品点数が増加するのを抑制することができる。
【００８８】
なお、本発明の範囲は、上記した実施形態に限定されるものではなく、本発明の要旨を逸脱しない範囲で種々の変更例を含む。
【００８９】
たとえば、上記第１実施形態では、基部１を構成する支柱部６を略Ｕ字状に形成するとともに、上記第２実施形態では、基部６１を構成する支柱部６６を略円柱状に形成したが、本発明はこれに限らず、基部を構成する支柱部を上記以外の種々の形状に形成してもよい。
【００９０】
また、上記第２実施形態（第４実施形態）では、一対のフック部６３，６３を基部６１（１３１）の上部の左右両側に突出するように設けたが、本発明はこれに限らず、フック部（吊掛部）を上記以外の構成で基部に設けてもよい。たとえば、基部の高さ方向における中間部から上部の間の任意の領域にフック部を設けてもよい。また、基部の左右両側以外の位置に突出するようにフック部を設けてもよく、たとえば、基部の背面側に突出するようにフック部を設けてもよい。この場合、上記第２および第４実施形態と異なり単一のフック部を基部の背面側に設けてもよい。
【００９１】
また、上記第５実施形態では、ネット保持具１６０に設けた遮蔽板１６４の背後にゴミ保護用ネット５０が隠れるようにして正面から見えないようにしたが、本発明はこれに限らず、折畳んだ状態のゴミ保護用ネット５０のネット部５１の横幅が遮蔽板１６４および枠部１６１ｃよりも大きい場合には、遮蔽板１６４および枠部１６１ｃからネット部５１が横にはみ出るようにネット保持具１６０にゴミ保護用ネット５０を保持させてもよい。
【図面の簡単な説明】
【００９２】
【図１】本発明の第１実施形態によるネット保持装置の全体構成を示した正面図である。
【図２】図１に示したネット保持装置のネット保持具からカバー部を外した状態を示した正面図である。
【図３】図２に示したネット保持具の５００−５００線に沿った断面図である。
【図４】図１に示したネット保持装置のネット保持具のカバー部を示した正面図である。
【図５】図１に示したネット保持装置のゴミ保護用ネットの全体構成を示した平面図である。
【図６】図５に示したゴミ保護用ネットを屏風状に折畳む際の状態を示した斜視図である。
【図７】図６に示したゴミ保護用ネットの折畳み後の状態を示した斜視図である。
【図８】図７に示したゴミ保護用ネットをさらに折畳んだ状態を示した斜視図である。
【図９】本発明の第２実施形態によるネット保持装置の全体構成を示した正面図である。
【図１０】図９に示したネット保持装置のネット保持具の側面図である。
【図１１】図１０に示したネット保持具の上端部近傍を部分的に拡大して示した正面図である。
【図１２】図１１に示したネット保持具の６００−６００線に沿った断面図である。
【図１３】本発明の第３実施形態によるネット保持装置の全体構成を示した正面図である。
【図１４】図１３に示したネット保持装置のネット保持具の側面図である。
【図１５】本発明の第４実施形態によるネット保持装置のネット保持具の上端部近傍を部分的に示した正面図である。
【図１６】図１５に示したネット保持具の縦断面図である。
【図１７】図１５に示したネット保持具の７００−７００線に沿った断面図である。
【図１８】図１５に示したネット保持具に用いる表示体の構成を示した正面図である。
【図１９】図１８に示した表示体の上面図である。
【図２０】本発明の第５実施形態によるネット保持装置およびネット保持具の全体構成を示した正面図である。
【図２１】図２０に示したネット保持装置のネット保持具の側面図である。
【符号の説明】
【００９３】
１、６１、１０１、１３１、１６１  基部
３、６３、１６３  フック部（吊掛部）
４  カバー部（遮蔽部）
４ｂ  表示板取付部
１０、６０、１１０、１３０、１６０  ネット保持具
２０、１２０、１８０  表示板
５０  ゴミ保護用ネット
５１  ネット部
５１ａ  折り目
５１ｂ  山
５１ｃ  谷
５２ａ、５２ｂ  第１ロープ部
５３ａ、５３ｂ  第２ロープ部
５４  第１支持部
５５  第２支持部
７１  表示板取付部（表示体取付部）
７５  係止部
８０  表示板（表示体）
１０３ａ  係止部（吊掛部）
１０４、１６４  遮蔽板（遮蔽部）
１４０  表示体取付部
１５０  表示体
【図１】
2007217117.tif 000003
【図２】
2007217117.tif 000004
【図３】
2007217117.tif 000005
【図４】
2007217117.tif 000006
【図５】
2007217117.tif 000007
【図６】
2007217117.tif 000008
【図７】
2007217117.tif 000009
【図８】
2007217117.tif 000010
【図９】
2007217117.tif 000011
【図１０】
2007217117.tif 000012
【図１１】
2007217117.tif 000013
【図１２】
2007217117.tif 000014
【図１３】
2007217117.tif 000015
【図１４】
2007217117.tif 000016
【図１５】
2007217117.tif 000017
【図１６】
2007217117.tif 000018
【図１７】
2007217117.tif 000019
【図１８】
2007217117.tif 000020
【図１９】
2007217117.tif 000021
【図２０】
2007217117.tif 000022
【図２１】
2007217117.tif 000023